(57)【要約】      （修正有） 【課題】肩に背負った状態で携行可能なバッグであり、肩ベルトを利用しない際には、肩ベルトを簡便な操作で収納させておくことができるバッグを提供する。【解決手段】収納部１１の背面部１２に肩ベルト１３が取り付けられたバッグ１０であって、収納部１１の背面部下部１４には肩ベルト１３を収納しうる肩ベルト収納部１５が設けられていることを特徴とする。【選択図】図１
0003202696.tif 000002
【実用新案登録請求の範囲】
【請求項１】
収納部の背面部に肩ベルトが取り付けられたバッグであって、前記収納部の背面部下部には前記肩ベルトを収納しうる肩ベルト収納部が設けられていることを特徴とするバッグ。
【請求項２】
前記肩ベルトは、上端部が前記収納部の上端部に固定されると共に下端部は前記収納部の下端部に固定され、前記肩ベルト収納部は、前記収納部の背面部を形成する背面材の外方に前記収納部の幅方向に沿って設けられ、上方に開口する開口部を有するポケット状に形成され、前記肩ベルトの下部を収納しうるように構成されていることを特徴とする請求項１記載のバッグ。
【請求項３】
前記肩ベルトは前記収納部に高さ方向に沿って２本設けられ、ベルト本体部と、前記ベルト本体部の下端部に設けられ、上端部が前記ベルト本体部の下端部に接合されると共に下端部が前記収納部の幅方向両端部の下端部に接合されたストラップ部とにより構成され、前記肩ベルト収納部は、前記ストラップ部を収納しうるように構成されていることを特徴とする請求項１記載のバッグ。
【請求項４】
前記肩ベルト収納部には、前記開口部を開閉可能に閉止しうる係合部が設けられていることを特徴とする請求項２記載のバッグ。
【請求項５】
前記収納部は縦長箱状に形成され、上端部には手提げ用のハンドル部が設けられていることを特徴とする請求項１記載のバッグ。
【考案の詳細な説明】
【技術分野】
【０００１】
本考案は肩掛けあるいは背負いにより携行可能なバッグの改良に関する。
【背景技術】
【０００２】
肩に背負った状態で携行可能なバッグは、レジャー用のリュックサックなどに広く利用されている。また、手提げとの兼用のバッグは、リュックサックの他に仕事用のバッグとしても利用されている。
【０００３】
このようにバッグを仕事用として利用する場合には、例えば通勤や外出等の比較的長距離の移動時には背負いベルトを用いて肩に背負った状態で楽に持ち運ぶことができ、社内や外出先では手提げバッグとして用いることができ、場面に応じて使い分けができる。
【０００４】
しかしながら、一般に背負いベルトは、未使用時にはバッグ本体より下部に垂れ下がってしまうため、例えば通勤時に利用者が電車の椅子に座ってバッグを膝の上に置いた際には、背負いベルトが隣の人に接触してしまう事態やバッグを床に置いたり手提げした際には、背負いベルトが床に擦れて汚れたり、踏みつけたりしてしまう事態が発生していた。そこで、背負いベルトを使用しない際にも前述のような事態が発生しないバッグが求められていた。
【０００５】
そこで、このような事態を回避することができるバッグとしては、特許文献１のマルチウェイバッグが提案されており、特許文献１のマルチウェイバッグは、背負い利用しない場合には、背負いベルト下端の背負いベルト係止用リングを取り外して背負いベルト収納用ポケット部に収納することができる。
【０００６】
しかしながら、特許文献１のマルチウェイバッグは、背負いベルトを収納又は取出す場合には、都度、背負いベルト係止用リングを着脱しなければならないため、着脱作業が煩雑であった。
【０００７】
また、本考案者はこのような観点から特許調査を行い特許文献２及び特許文献３を発見したが、特許文献２の袋物は、ベルトを出し入れする際にポケットを開閉しなければならず、特許文献３のカバンは、係止具により背負いベルトとカバン本体を係止させる必要があり、いずれも背負いベルトの収納又は係止が簡便にできるものではなかった。
【特許文献１】公開特許第２０１５−１５０２９２号公報
【特許文献２】公開特許第２００３−３８２３２号公報
【特許文献３】公開特許第２００１−３７５２４号公報
【考案の開示】
【考案が解決しようとする課題】
【０００８】
そこで、本考案は、このような従来の要請に基づくものであって、肩に背負った状態で携行可能なバッグであり、肩ベルトを利用しない際には、肩ベルトを簡便な操作で収納させておくことができるバッグを提供することを課題とする。
【課題を解決するための手段】
【０００９】
前記課題を解決するために、請求項１に記載のバッグにあっては、収納部の背面部に肩ベルトが取り付けられたバッグであって、前記収納部の背面部下部には前記肩ベルトを収納しうる肩ベルト収納部が設けられていることを特徴とする。
【００１０】
従って、請求項１に記載のバッグは、収納部の背面部下部には前記肩ベルトを収納しうる肩ベルト収納部が設けられていることから、肩ベルトを利用しない際には、肩ベルト収納部に収納しておくことができる。
【００１１】
請求項２に記載のバッグにあっては、前記肩ベルトは、上端部が前記収納部の上端部に固定されると共に下端部は前記収納部の下端部に固定され、前記肩ベルト収納部は、前記収納部の背面部を形成する背面材の外方に前記収納部の幅方向に沿って設けられ、上方に開口する開口部を有するポケット状に形成され、前記肩ベルトの下部を収納しうるように構成されていることを特徴とする。
【００１２】
従って、請求項２に記載のバッグは、肩ベルトは、上端部が前記収納部の上端部に固定されると共に下端部は収納部の下端部に固定され、肩ベルト収納部は、収納部の背面部を形成する背面材の外方に収納部の幅方向に沿って設けられ、上方に開口する開口部を有するポケット状に形成され、肩ベルトの下部を収納しうるように構成されていることから、肩ベルトの下部を肩ベルト収納部の開口部より下方に向って挿入することにより収納することができる。
【００１３】
請求項３に記載のバッグにあっては、前記肩ベルトは前記収納部に高さ方向に沿って２本設けられ、ベルト本体部と、前記ベルト本体部の下端部に設けられ、上端部が前記ベルト本体部の下端部に接合されると共に下端部が前記収納部の幅方向両端部の下端部に接合されたストラップ部とにより構成され、前記肩ベルト収納部は、前記ストラップ部を収納しうるように構成されていることを特徴とする。
従って、肩ベルトは前記収納部に高さ方向に沿って２本設けられていることから、バッグを肩ベルトを両肩に掛けて背負うことができる。
【００１４】
請求項４に記載のバッグにあっては、前記肩ベルト収納部には、前記開口部を開閉可能に閉止しうる係合部が設けられていることを特徴とする。
【００１５】
請求項５に記載のバッグにあっては、前記収納部は縦長箱状に形成され、上端部には手提げ用のハンドル部が設けられていることを特徴とする。
【考案の効果】
【００１６】
請求項１及び３に記載のバッグにあっては、肩ベルトを利用しない際には、収納部の背面部下部に設けられた肩ベルト収納部に収納しておくことができるため、係止具等による着脱が不要で簡便な操作で収納することができる。
【００１７】
特に肩ベルト部の下端部に接合されたストラップ部は収納部下方に垂下されるものであり、取り扱いが煩雑となるが、肩ベルト収納部に肩ベルト下部と共に収納することができるため、取り扱いが容易となる。
【００１８】
さらに、肩ベルトを肩ベルト収納部に収納しない場合には、肩ベルト収納部に小物を収納しておくこともできる。
【００１９】
請求項２に記載のバッグにあっては、肩ベルトの下部を肩ベルト収納部の開口部より下方に向って挿入することにより収納することができることから、より簡便な操作で収納することができる。
【００２０】
請求項４に記載のバッグにあっては、開口部を開閉可能に閉止しうる係合部が設けられていることから、肩ベルトを利用する際には、肩ベルト収納部の開口部を閉止しておくことができる。
【００２１】
請求項５に記載のバッグにあっては、収納部は縦長箱状に形成され、上端部には手提げ用のハンドル部が設けられていることから、手提げと背負いの２ウェイバッグとして利用することができる。
【図面の簡単な説明】
【００２２】
【図１】図１は、本考案に係るバッグの一実施の形態を示した背面図である。
【図２】図２は、本考案に係るバッグの一実施の形態を示し、肩ベルトを肩ベルト収納部に収納した状態を示す背面斜視図である。
【考案を実施するための最良の形態】
【００２３】
以下、本考案に係るバッグを実施の形態に基づき、図面を参照して詳細に説明する。
【００２４】
図１に示すように、本実施の形態に係るバッグ１０は、収納部１１の背面部１２に肩ベルト１３，１３が取り付けられている。
収納部１１の背面部下部１４には肩ベルト１３，１３を収納しうる肩ベルト収納部１５が設けられている。収納部１１は縦長箱状に形成され、収納部の上端部１８には手提げ用のハンドル部２２が設けられている。本実施の形態においては、収納部１１の上面から両側面にかけてマチ方向に沿って線ファスナー３０が設けられている。
【００２５】
また、図２に示すように、ハンドル部２２は、収納部１１の正面部と背面部１２に夫々設けられており、背面部１２側のハンドル部２２ａには、紐状に形成され、正面部側のハンドル部２２ｂと連結しうる連結部材３１が設けられている。
【００２６】
肩ベルト１３，１３は、上端部１６が収納部の上端部１８に固定されると共に、下端部１７は、収納部の下端部１９に固定されている。
【００２７】
肩ベルト１３，１３は収納部１１に高さ方向に沿って２本設けられ、クッション性を備えて肉厚に形成されたベルト本体部２０と、ベルト本体部２０の下端部に設けられ、上端部がベルト本体部２０の下端部に接合されると共に下端部が収納部の下端部１９の幅方向両端部に接合されたストラップ部２１とにより構成されている。
【００２８】
本実施の形態においては、ストラップ部２１は帯状に形成され、長さ調整具２４が設けられている。ストラップ部２１の下端部は略三角形状に形成された固定生地部３３を介して接合されている。固定生地部３３は、１辺が収納部の下端部１９において、収納部１１の高さ方向に沿って縫合されており、収納部１１の上方側を向く１辺にストラップ部２１の下端部が縫合されている。
【００２９】
また、夫々のベルト本体部２０，２０の下端部には、紐部２５，２５が縫合されており、夫々の紐部２５，２５の先端部側には嵌め込み式のバックル２６，２６が備えられている。
【００３０】
肩ベルト収納部１５は、収納部１１の背面部１２を形成する背面材の外方に収納部１１の幅方向に沿って設けられ、上方に開口する開口部２３を有するポケット状に形成され、肩ベルト１３，１３の下部を収納しうるように構成されている。
【００３１】
本実施の形態においては、肩ベルト収納部１５は収納部１１の幅方向全域に亘って設けられ、収納部１１の高さ寸法の略３分の１程度の深さ寸法となるように形成されており、肩ベルト収納部１５は、ストラップ部２１を収納しうるように構成されている。
【００３２】
また、肩ベルト収納部１５には、開口部２３を開閉可能に閉止しうる係合部２７が設けられている。
【００３３】
本実施の形態においては、係合部２７は、ホックボタンであり、肩ベルト収納部１５の幅方向中央と対応する収納部１１の背面材に夫々雄ホックボタン２７と雌ホックボタン（図示せず）が設けられ互いに係合可能に備えられている。図２に示すように、雌ホックボタン（図示せず）は、背面部１２を形成する背面材に対して略長方形状の補強生地部３２を介して固定されている。
【００３４】
以下、本実施の形態に係るバッグ１０の作用について、図面を参照して詳細に説明する。
【００３５】
本実施の形態に係るバッグ１０は、以上のように構成されていることから、
図２に示すように、肩ベルト１３を利用しない際には、ベルト本体部２０の下端部に設けられたストラップ部２１及びベルト本体部２０の下端部を把持して、開口部２３上方よりポケット状に形成された肩ベルト収納部１５に挿入して収納しておくことができる。このとき、ストラップ部２１，２１とベルト本体部２０の下端部を肩ベルト収納部１５に収納することができる。この状態においてハンドル部２２を把持して手提げバッグとして利用することもできる。
【００３６】
特にベルト本体部２０の下端部に接合されたストラップ部２１は収納部１１下方に垂下されるものであり、取り扱いが煩雑となるが、肩ベルト収納部１５に肩ベルト１３下部と共に収納することができるため、取り扱いが容易となる。
【００３７】
また、図２に示すように、開口部２３を開閉可能に閉止しうるホックボタン２７が収納部１１の幅方向中央位置に１つだけ設けられているため、肩ベルト１３，１３を肩ベルト収納部１５に収納した状態でホックボタン２７を係合させることによって、肩ベルト１３，１３を収納状態で拘束することができるため、例えば通勤時の満員電車などで他人に接触して肩ベルト１３，１３が飛び出してしまうこともない。
【００３８】
肩ベルト１３を利用する際には、ベルト本体部２０を把持して上方へ抜き取るように肩ベルト収納部１５より取り出して、バッグ１０を肩より背負って持ち運ぶことができる。このとき肩ベルト収納部１５は小物入れとしても利用することができる。
【００３９】
また、開口部２３を開閉可能に閉止しうるホックボタン２７が設けられていることから、肩ベルト１３，１３を利用する際には、肩ベルト収納部１５の開口部２３を閉止しておくことができる。
【００４０】
さらに利用者は、バッグ１０を両肩に背負った状態において、紐部２５，２５をバックル２６により互いに連結し、長さ調整具２４によって肩ベルト１３，１３を身体に密着させることにより、動作をしても肩ベルト１３，１３がずれ落ちることなく安定した状態で背負うことができる。
【００４１】
本実施の形態においては、肩ベルト収納部１５は幅広に１つ形成されている例を説明したが、これに限定されることはなく、背面部下部１４において左右に分けて２つ形成されていても良い。この場合、２本の肩ベルト１３，１３を個別に収納することができる。
【産業上の利用可能性】
【００４２】
本考案に係るバッグは、肩掛け可能なバッグに広く適用することができることから産業上の利用可能性を有している。
【符号の説明】
【００４３】
１０    バッグ
１１    収納部
１２    背面部
１３    肩ベルト
１４    背面部下部
１５    肩ベルト収納部
１６    上端部
１７    下端部
１８    収納部の上端部
１９    収納部の下端部
２０    ベルト本体部
２１    ストラップ部
２２    ハンドル部
２３    開口部
２４    長さ調整具
２５    紐部
２６    バックル
２７    ホックボタン
３０    線ファスナー
３１    連結部材
３２    補強生地部
３３    固定生地部
【図１】
0003202696.tif 000003
【図２】
0003202696.tif 000004